(57)【要約】【課題】  ディスクアレイ装置において、電力損失を低減させ、バックアップ電源の電力容量を最適値に設定することにより、省エネルギ化、省スペース化の実現を図る。【解決手段】  ＨＤＤボックス８３１〜８３ｎには、２次電池ボックス８７、非絶縁型ＤＣ／ＤＣコンバータ８９、ＨＤＤ９１が、論理回路基板８５１〜８５ｎには、２次電池ボックス８７、高速応答型非絶縁ＤＣ／ＤＣコンバータ９３１〜９３３、負荷９５１〜９５３が実装される。各２次電池ボックス８７は、充電・放電回路９７、複数の２次電池の直列体９９を備える。ＨＤＤボックスでは、２次電池ボックス８７の出力電圧は、ＤＣ／ＤＣコンバータ８９を通じてＨＤＤ９１に供給される。論理回路基板では、２次電池ボックス８７の出力電圧は、ＤＣ／ＤＣコンバータ９３１〜９３３を通じて夫々対応する負荷９５１〜９５３に供給される。【選択図】        図４
2005227988.tif 000002
【特許請求の範囲】
【請求項１】
外部電源から電力を取り入れる外部電源接続用コネクタと、
前記外部電源接続用コネクタから供給される電力を交流電流から直流電流に変換した後に供給する装置内電源部と、
前記装置内電源部に接続され、前記装置内電源部から供給される電力を異なる電圧の直流電流に変換する第１の電圧変換器と、前記第１の電圧変換器によって変換された電力が供給されるディスクドライブと、前記第１の電圧変換器に対して供給される電力を蓄積する第１のバックアップ用電源と、を有する複数のディスクドライブ筺体と、
前記装置内電源部に接続され、前記装置内電源部から供給される電力を異なる電圧の直流電流に変換する第２の電圧変換器と、前記第２の電圧変換器によって変換された電力が供給される複数の電力消費回路と、前記第２の電圧変換器に対して供給される電力を蓄積する第２のバックアップ用電源と、を有し、外部の装置との間でデータのやり取りを行う通信用アダプタと、
前記装置内電源部に接続され、前記装置内電源部から供給される電力を異なる電圧の直流電流に変換する第３の電圧変換器と、前記第３の電圧変換器によって変換された電力が供給される複数の電力消費回路と、前記第３の電圧変換器に対して供給される電力を蓄積する第３のバックアップ用電源と、を有し、前記複数のディスクドライブ筺体に対するデータの書き込み又は読み出しを制御するディスクアダプタと、
前記装置内電源部に接続され、前記装置内電源部から供給される電力を異なる電圧の直流電流に変換する第４の電圧変換器と、前記第４の電圧変換器によって変換された電力が供給される複数の電力消費回路と、前記第４の電圧変換器に対して供給される電力を蓄積する第４のバックアップ用電源と、を有し、前記通信用アダプタ及び前記ディスクアダプタから書き込み又は読み出されるデータ及び制御情報を保存するメモリ部と、
前記複数のディスクドライブ筺体、前記通信用アダプタ、前記ディスクアダプタ、及び前記メモリ部に接続され、前記装置内電源部からの電力が供給されなくなった場合、前記複数のディスクドライブ筺体内の第１のバックアップ用電源、前記通信用アダプタ内の第２のバックアップ用電源、前記ディスクアダプタ内の第３のバックアップ用電源、及び前記メモリ部内の第４のバックアップ用電源によって、前記複数のディスクドライブ筺体、前記通信用アダプタ、前記ディスク用アダプタ、又は前記メモリ部のうちで電力の供給が必要とされる部位に電力を供給する相互電力供給線と、
を備えるディスクアレイ装置。
【請求項２】
請求項１記載のディスクアレイ装置において、
前記ディスクアレイ装置本体内に挿脱自在なバックアップ電源増設用部材を更に備えるディスクアレイ装置。
【請求項３】
請求項１記載のディスクアレイ装置において、
前記バックアップ電源増設用部材におけるバックアップ電源実装領域が、前記ディスクドライブ筺体、前記通信用アダプタ、前記ディスクアダプタ、及び前記メモリ部に実装されるデバイスの実装に利用可能に構成されているディスクアレイ装置。
【請求項４】
請求項１記載のディスクアレイ装置において、
前記第１のバックアップ電源が前記ディスクドライブ筺体に対して、前記第２のバックアップ電源が前記通信用アダプタに対して、前記第３のバックアップ電源が前記ディスクアダプタに対して、前記第４のバックアップ電源が前記メモリ部に対して、夫々着脱自在に構成されているディスクアレイ装置。
【請求項５】
請求項１記載のディスクアレイ装置において、
前記バックアップ電源増設用部材に実装されたバックアップ電源に蓄積された電力が、前記相互電力供給線を通じて前記複数のディスクドライブ筺体、前記通信用アダプタ、前記ディスクアダプタ、又は前記メモリ部のうちで電力の供給が必要とされる部位に供給されるようになっているディスクアレイ装置。
【請求項６】
請求項１記載のディスクアレイ装置において、
前記装置内電源部からの電力が供給されなくなった場合、前記メモリ部に一時的に保持されているデータの、前記ディスクドライブ筺体内のディスクドライブへの退避処理の完了に伴って駆動停止した部位に対応する前記バックアップ電源から該バックアップ電源に蓄積されている電力が、前記相互電力供給線を通じて駆動中の部位へ供給されるようになっているディスクアレイ装置。
【請求項７】
請求項１記載のディスクアレイ装置において、
前記第２、第３の電圧変換器が、高速応答型非絶縁ＤＣ／ＤＣコンバータであるディスクアレイ装置。
【請求項８】
請求項１記載のディスクアレイ装置において、
前記装置内電源部からの出力電圧が、前記相互電力供給線を通じて高速応答型非絶縁ＤＣ／ＤＣコンバータである前記第２、第３の電圧変換器に対して直接に供給可能な程度に低い電圧に設定されているディスクアレイ装置。
【請求項９】
請求項１記載のディスクアレイ装置において、
前記第１、第４の電圧変換器が、非絶縁型ＤＣ／ＤＣコンバータであるディスクアレイ装置。
【請求項１０】
請求項１記載のディスクアレイ装置において、
前記第１乃至第４のバックアップ用電源が、充電／放電回路と、２次電池とを有するディスクアレイ装置。
【請求項１１】
外部電源接続用コネクタを通じて外部電源から電力を取り入れる第１のステップと、
前記第１のステップにおいて前記外部電源接続用コネクタを通じて外部電源から取り入れた電力を装置内電源部により交流電流から直流電流に変換した後に供給する第２のステップと、
前記第２のステップにおいて前記装置内電源部から供給される直流電流を、前記装置内電源部に接続された、複数のディスクドライブ筺体が有する第１の電圧変換器により異なる電圧の直流電流に変換する第３のステップと、
前記第３のステップにおいて前記第１の電圧変換器によって変換された電力を、前記第１の電圧変換器から前記複数のディスクドライブ筺体が有するディスクドライブに供給する第４のステップと、
前記第３のステップにおいて前記第１の電圧変換器によって変換された電力を、前記第１の電圧変換器から前記複数のディスクドライブ筺体が有する、前記第１の電圧変換器に供給する電力を蓄積するための第１のバックアップ用電源に供給する第５のステップと、
前記第２のステップにおいて前記装置内電源部から供給される直流電流を、前記装置内電源部に接続された、外部の装置との間でデータの授受を行う通信用アダプタが有する第２の電圧変換器により異なる電圧の直流電流に変換する第６のステップと、
前記第６のステップにおいて前記第２の電圧変換器によって変換された電力を、前記第２の電圧変換器から前記通信用アダプタが有する複数の電力消費回路に供給する第７のステップと、
前記第６のステップにおいて前記第２の電圧変換器によって変換された電力を、前記第２の電圧変換器から前記通信用アダプタが有する、前記第２の電圧変換器に供給する電力を蓄積するための第２のバックアップ用電源に供給する第８のステップと、
前記第２のステップにおいて前記装置内電源部から供給される直流電流を、前記装置内電源部に接続された、前記複数のディスクドライブ筺体に対するデータの書き込み又は読み出しを制御するディスクアダプタが有する第３の電圧変換器により異なる電圧の直流電流に変換する第９のステップと、
前記第９のステップにおいて前記第３の電圧変換器によって変換された電力を、前記第３の電圧変換器から前記ディスクアダプタが有する複数の電力消費回路に供給する第１０のステップと、
前記第９のステップにおいて前記第３の電圧変換器によって変換された電力を、前記第３の電圧変換器から前記ディスクアダプタが有する、前記第３の電圧変換器に供給する電力を蓄積するための第３のバックアップ用電源に供給する第１１のステップと、
前記第２のステップにおいて前記装置内電源部から供給される直流電流を、前記装置内電源部に接続された、前記通信用アダプタ及び前記ディスクアダプタから書き込み又は読み出されるデータ及び制御情報を保存するメモリ部が有する第４の電圧変換器により異なる電圧の直流電流に変換する第１２のステップと、
前記第１２のステップにおいて前記第４の電圧変換器によって変換された電力を、前記第４の電圧変換器から前記メモリ部が有する複数の電力消費回路に供給する第１３のステップと、
前記第１２のステップにおいて前記第４の電圧変換器によって変換された電力を、前記第４の電圧変換器から前記メモリ部が有する、前記第４の電圧変換器に供給する電力を蓄積するための第４のバックアップ用電源に供給する第１４のステップと、
前記第２のステップにおいて前記装置内電源部から電流が供給されなくなった場合に、前記ディスクドライブ筺体、前記通信用アダプタ、前記ディスクアダプタ、及び前記メモリ部に夫々接続される相互電力供給線を通じて前記各バックアップ用電源によって前記ディスクドライブ筺体、前記通信用アダプタ、前記ディスク用アダプタ、又は前記メモリ部のうちで電力の供給を必要とする部位に電力を供給するようにした第１５のステップと、
を備えるディスクアレイ装置の電源バックアップ方法。
【請求項１２】
請求項１１記載のディスクアレイ装置の電源バックアップ方法において、
前記ディスクアレイ装置本体内に挿脱自在なバックアップ電源増設用部材を更に備えるディスクアレイ装置の電源バックアップ方法。
【請求項１３】
請求項１１記載のディスクアレイ装置の電源バックアップ方法において、
前記バックアップ電源増設用部材におけるバックアップ電源実装領域が、前記ディスクドライブ筺体、前記通信用アダプタ、前記ディスクアダプタ、及び前記メモリ部に実装されるデバイスの実装に利用可能に構成されているディスクアレイ装置の電源バックアップ方法。
【請求項１４】
請求項１１記載のディスクアレイ装置の電源バックアップ方法において、
前記第１のバックアップ電源が前記ディスクドライブ筺体に対して、前記第２のバックアップ電源が前記通信用アダプタに対して、前記第３のバックアップ電源が前記ディスクアダプタに対して、前記第４のバックアップ電源が前記メモリ部に対して、夫々着脱自在に構成されているディスクアレイ装置の電源バックアップ方法。
【請求項１５】
請求項１１記載のディスクアレイ装置の電源バックアップ方法において、
前記バックアップ電源増設用部材に実装されたバックアップ電源に蓄積された電力が、前記相互電力供給線を通じて前記複数のディスクドライブ筺体、前記通信用アダプタ、前記ディスクアダプタ、又は前記メモリ部のうちで電力の供給が必要とされる部位に供給されるようになっているディスクアレイ装置の電源バックアップ方法。
【請求項１６】
請求項１１記載のディスクアレイ装置の電源バックアップ方法において、
前記装置内電源部からの電力が供給されなくなった場合、前記メモリ部に一時的に保持されているデータの、前記ディスクドライブ筺体内のディスクドライブへの退避処理の完了に伴って駆動停止した部位に対応する前記バックアップ電源から該バックアップ電源に蓄積されている電力が、前記相互電力供給線を通じて駆動中の部位へ供給されるようになっているディスクアレイ装置の電源バックアップ方法。
【請求項１７】
請求項１１記載のディスクアレイ装置の電源バックアップ方法において、
前記第２、第３の電圧変換器が、高速応答型非絶縁ＤＣ／ＤＣコンバータであるディスクアレイ装置の電源バックアップ方法。
【請求項１８】
請求項１１記載のディスクアレイ装置の電源バックアップ方法において、
前記装置内電源部からの出力電圧が、前記相互電力供給線を通じて高速応答型非絶縁ＤＣ／ＤＣコンバータである前記第２、第３の電圧変換器に対して直接に供給可能な程度に低い電圧に設定されているディスクアレイ装置の電源バックアップ方法。
【請求項１９】
請求項１１記載のディスクアレイ装置の電源バックアップ方法において、
前記第１、第４の電圧変換器が、非絶縁型ＤＣ／ＤＣコンバータであるディスクアレイ装置の電源バックアップ方法。
【請求項２０】
請求項１１記載のディスクアレイ装置の電源バックアップ方法において、
前記第１乃至第４のバックアップ用電源が、充電／放電回路と、２次電池とを有するディスクアレイ装置の電源バックアップ方法。
【発明の詳細な説明】
【技術分野】
【０００１】
本発明は、情報処理装置から受信したデータを保存するディスク駆動装置と、上記ディスク駆動装置に保存されるデータを一時的に保持するキャシュメモリと、を有するディスクアレイ装置、及びディスクアレイ装置の電源バックアップ方法に関する。
【背景技術】
【０００２】
従来、ディスクアレイ装置、即ち、磁気ディスク装置において、その筺体内に実装する磁気ディスク・モジュールの搭載台数の増大と実装密度の向上とを図ることを主な目的とした筺体収納型の磁気ディスク装置構造が提案されている。この提案に係る磁気ディスク装置では、複数のディレクタ用バッテリから複数のディレクタに対して夫々別個に給電が行われると共に、複数のディレクタから共通にアクセスされる複数の磁気ディスク・モジュールに対して磁気ディスク・モジュール用バッテリから給電が行われる。そして、パワーコントローラが、複数のディレクタ及び磁気ディスク・モジュールの動作状態に応じて、複数のディレクタ用バッテリ及び磁気ディスク・モジュール用バッテリからの給電を、独立して制御するようになっている（例えば特許文献１参照）。
【０００３】
【特許文献１】WO93/24878のパンフレット
【発明の開示】
【発明が解決しようとする課題】
【０００４】
ところで、近年、ディスクアレイ装置を構成要素とするストレージシステム等のストレージ機器においては、商用電源が一時的に停電しても、それによってキャッシュメモリ等の揮発性メモリ素子に一時的に保持されているデータが消失するのを防止して、データの保全を図るために、種々の電源バックアップの技術が開発されている。その背景には、ユーザが、高性能、高機能、高信頼、省エネルギ、及び省スペース等、より付加価値の高いストレージ機器を要求するようになってきたのに加えて、商用電源の一時的な停電によってストレージ機器への給電が突然途絶えることがないように、ユーザが電源設備に冗長性を持たせるための投資を行ったり、或いは、ユーザが電源設備に冗長性を持たせるためのスペースを確保したりするのが困難な事情がある。
【０００５】
従って、本発明の目的は、ディスクアレイ装置において、電力損失の低減を図ることができると共に、バックアップ時に使用される２次電池の電力容量を最適値に設定することができ、それによって省エネルギ化、及び省スペース化を実現することができるようにすることにある。
【課題を解決するための手段】
【０００６】
本発明の第１の観点に従うディスクアレイ装置は、外部電源から電力を取り入れる外部電源接続用コネクタと、上記外部電源接続用コネクタから供給される電力を交流電流から直流電流に変換した後に供給する装置内電源部と、上記装置内電源部に接続され、上記装置内電源部から供給される電力を異なる電圧の直流電流に変換する第１の電圧変換器と、上記第１の電圧変換器によって変換された電力が供給されるディスクドライブと、上記第１の電圧変換器に対して供給される電力を蓄積する第１のバックアップ用電源と、を有する複数のディスクドライブ筺体と、上記装置内電源部に接続され、上記装置内電源部から供給される電力を異なる電圧の直流電流に変換する第２の電圧変換器と、上記第２の電圧変換器によって変換された電力が供給される複数の電力消費回路と、上記第２の電圧変換器に対して供給される電力を蓄積する第２のバックアップ用電源と、を有し、外部の装置との間でデータのやり取りを行う通信用アダプタと、上記装置内電源部に接続され、上記装置内電源部から供給される電力を異なる電圧の直流電流に変換する第３の電圧変換器と、上記第３の電圧変換器によって変換された電力が供給される複数の電力消費回路と、上記第３の電圧変換器に対して供給される電力を蓄積する第３のバックアップ用電源と、を有し、上記複数のディスクドライブ筺体に対するデータの書き込み又は読み出しを制御するディスクアダプタと、上記装置内電源部に接続され、上記装置内電源部から供給される電力を異なる電圧の直流電流に変換する第４の電圧変換器と、上記第４の電圧変換器によって変換された電力が供給される複数の電力消費回路と、上記第４の電圧変換器に対して供給される電力を蓄積する第４のバックアップ用電源と、を有し、上記通信用アダプタ及び上記ディスクアダプタから書き込み又は読み出されるデータ及び制御情報を保存するメモリ部と、上記複数のディスクドライブ筺体、上記通信用アダプタ、上記ディスクアダプタ、及び上記メモリ部に接続され、上記装置内電源部からの電力が供給されなくなった場合、上記複数のディスクドライブ筺体内の第１のバックアップ用電源、上記通信用アダプタ内の第２のバックアップ用電源、上記ディスクアダプタ内の第３のバックアップ用電源、及び上記メモリ部内の第４のバックアップ用電源によって、上記複数のディスクドライブ筺体、上記通信用アダプタ、上記ディスク用アダプタ、又は上記メモリ部のうちで電力の供給が必要とされる部位に電力を供給する相互電力供給線と、を備える。
【０００７】
本発明の第１の観点に係る好適な実施形態では、上記ディスクアレイ装置本体内に挿脱自在なバックアップ電源増設用部材を更に備える。
【０００８】
上記とは別の実施形態では、上記バックアップ電源増設用部材におけるバックアップ電源実装領域が、上記ディスクドライブ筺体、上記通信用アダプタ、上記ディスクアダプタ、及び上記メモリ部に実装されるデバイスの実装に利用可能に構成されている。
【０００９】
また、上記とは別の実施形態では、上記第１のバックアップ電源が上記ディスクドライブ筺体に対して、上記第２のバックアップ電源が上記通信用アダプタに対して、上記第３のバックアップ電源が上記ディスクアダプタに対して、上記第４のバックアップ電源が上記メモリ部に対して、夫々着脱自在に構成されている。
【００１０】
また、上記とは別の実施形態では、上記バックアップ電源増設用部材に実装されたバックアップ電源に蓄積された電力が、上記相互電力供給線を通じて上記複数のディスクドライブ筺体、上記通信用アダプタ、上記ディスク用アダプタ、又は上記メモリ部のうちで電力の供給が必要とされる部位に供給されるようになっている。
【００１１】
また、上記とは別の実施形態では、上記装置内電源部からの電力が供給されなくなった場合、上記メモリ部に一時的に保持されているデータの、上記ディスクドライブ筺体内のディスクドライブへの退避処理の完了に伴って駆動停止した部位に対応する上記バックアップ電源からそのバックアップ電源に蓄積されている電力が、上記相互電力供給線を通じて駆動中の部位へ供給されるようになっている。
【００１２】
また、上記とは別の実施形態では、上記第２、第３の電圧変換器が、高速応答型非絶縁ＤＣ／ＤＣコンバータである。
【００１３】
また、上記とは別の実施形態では、上記装置内電源部からの出力電圧が、上記相互電力供給線を通じて高速応答型非絶縁ＤＣ／ＤＣコンバータである上記第２、第３の電圧変換器に対して直接に供給可能な程度に低い電圧に設定されている。
【００１４】
また、上記とは別の実施形態では、上記第１、第４の電圧変換器が、非絶縁型ＤＣ／ＤＣコンバータである。
【００１５】
更に、上記とは別の実施形態では、上記第１乃至第４のバックアップ用電源が、充電／放電回路と、２次電池とを有する。
【００１６】
本発明の第２の観点に従うディスクアレイ装置の電源バックアップ方法は、外部電源接続用コネクタを通じて外部電源から電力を取り入れる第１のステップと、上記第１のステップにおいて上記外部電源接続用コネクタを通じて外部電源から取り入れた電力を装置内電源部により交流電流から直流電流に変換した後に供給する第２のステップと、上記第２のステップにおいて上記装置内電源部から供給される直流電流を、上記装置内電源部に接続された、複数のディスクドライブ筺体が有する第１の電圧変換器により異なる電圧の直流電流に変換する第３のステップと、上記第３のステップにおいて上記第１の電圧変換器によって変換された電力を、上記第１の電圧変換器から上記複数のディスクドライブ筺体が有するディスクドライブに供給する第４のステップと、上記第３のステップにおいて上記第１の電圧変換器によって変換された電力を、上記第１の電圧変換器から上記複数のディスクドライブ筺体が有する、上記第１の電圧変換器に供給する電力を蓄積するための第１のバックアップ用電源に供給する第５のステップと、上記第２のステップにおいて上記装置内電源部から供給される直流電流を、上記装置内電源部に接続された、外部の装置との間でデータの授受を行う通信用アダプタが有する第２の電圧変換器により異なる電圧の直流電流に変換する第６のステップと、上記第６のステップにおいて上記第２の電圧変換器によって変換された電力を、上記第２の電圧変換器から上記通信用アダプタが有する複数の電力消費回路に供給する第７のステップと、上記第６のステップにおいて上記第２の電圧変換器によって変換された電力を、上記第２の電圧変換器から上記通信用アダプタが有する、上記第２の電圧変換器に供給する電力を蓄積するための第２のバックアップ用電源に供給する第８のステップと、上記第２のステップにおいて上記装置内電源部から供給される直流電流を、上記装置内電源部に接続された、上記複数のディスクドライブ筺体に対するデータの書き込み又は読み出しを制御するディスクアダプタが有する第３の電圧変換器により異なる電圧の直流電流に変換する第９のステップと、上記第９のステップにおいて上記第３の電圧変換器によって変換された電力を、上記第３の電圧変換器から上記ディスクアダプタが有する複数の電力消費回路に供給する第１０のステップと、上記第９のステップにおいて上記第３の電圧変換器によって変換された電力を、上記第３の電圧変換器から上記ディスクアダプタが有する、上記第３の電圧変換器に供給する電力を蓄積するための第３のバックアップ用電源に供給する第１１のステップと、上記第２のステップにおいて上記装置内電源部から供給される直流電流を、上記装置内電源部に接続された、上記通信用アダプタ及び上記ディスクアダプタから書き込み又は読み出されるデータ及び制御情報を保存するメモリ部が有する第４の電圧変換器により異なる電圧の直流電流に変換する第１２のステップと、上記第１２のステップにおいて上記第４の電圧変換器によって変換された電力を、上記第４の電圧変換器から上記メモリ部が有する複数の電力消費回路に供給する第１３のステップと、上記第１２のステップにおいて上記第４の電圧変換器によって変換された電力を、上記第４の電圧変換器から上記メモリ部が有する、上記第４の電圧変換器に供給する電力を蓄積するための第４のバックアップ用電源に供給する第１４のステップと、上記第２のステップにおいて上記装置内電源部から電流が供給されなくなった場合に、上記ディスクドライブ筺体、上記通信用アダプタ、上記ディスクアダプタ、及び上記メモリ部に夫々接続される相互電力供給線を通じて上記各バックアップ用電源によって上記ディスクドライブ筺体、上記通信用アダプタ、上記ディスク用アダプタ、又は上記メモリ部のうちで電力の供給を必要とする部位に電力を供給するようにした第１５のステップと、を備える。
【００１７】
本発明の第２の観点に係る好適な実施形態では、上記ディスクアレイ装置本体内に挿脱自在なバックアップ電源増設用部材を更に備える。
【００１８】
上記とは別の実施形態では、上記バックアップ電源増設用部材におけるバックアップ電源実装領域が、上記ディスクドライブ筺体、上記通信用アダプタ、上記ディスクアダプタ、及び上記メモリ部に実装されるデバイスの実装に利用可能に構成されている。
【００１９】
また、上記とは別の実施形態では、上記第１のバックアップ電源が上記ディスクドライブ筺体に対して、上記第２のバックアップ電源が上記通信用アダプタに対して、上記第３のバックアップ電源が上記ディスクアダプタに対して、上記第４のバックアップ電源が上記メモリ部に対して、夫々着脱自在に構成されている。
【００２０】
また、上記とは別の実施形態では、上記バックアップ電源増設用部材に実装されたバックアップ電源に蓄積された電力が、上記相互電力供給線を通じて上記複数のディスクドライブ筺体、上記通信用アダプタ、上記ディスクアダプタ、又は上記メモリ部のうちで電力の供給が必要とされる部位に供給されるようになっている。
【００２１】
また、上記とは別の実施形態では、上記装置内電源部からの電力が供給されなくなった場合、上記メモリ部に一時的に保持されているデータの、上記ディスクドライブ筺体内のディスクドライブへの退避処理の完了に伴って駆動停止した部位に対応する上記バックアップ電源からこのバックアップ電源に蓄積されている電力が、上記相互電力供給線を通じて駆動中の部位へ供給されるようになっている。
【００２２】
また、上記とは別の実施形態では、上記第２、第３の電圧変換器が、高速応答型非絶縁ＤＣ／ＤＣコンバータである。
【００２３】
また、上記とは別の実施形態では、上記装置内電源部からの出力電圧が、上記相互電力供給線を通じて高速応答型非絶縁ＤＣ／ＤＣコンバータである上記第２、第３の電圧変換器に対して直接に供給可能な程度に低い電圧に設定されている。
【００２４】
また、上記とは別の実施形態では、上記第１、第４の電圧変換器が、非絶縁型ＤＣ／ＤＣコンバータである。
【００２５】
更に、上記とは別の実施形態では、上記第１乃至第４のバックアップ用電源が、充電／放電回路と、２次電池とを有する。
【発明の効果】
【００２６】
本発明によれば、ディスクアレイ装置において、電力損失の低減を図ることができると共に、バックアップ時に使用される２次電池の電力容量を最適値に設定することができ、それによって省エネルギ化、及び省スペース化を実現することができるようにすることができる。
【発明を実施するための最良の形態】
【００２７】
以下、本発明の実施の形態を、図面により詳細に説明する。
【００２８】
図１（ａ）は、本発明の第１の実施形態に係るディスクアレイ装置本体の全体構成を示す斜視図、図１（ｂ）は、本発明の第１の実施形態に係るＨＤＤボックスの全体構成を示す斜視図、図１（ｃ）は、本発明の第１の実施形態に係る論理回路基板の全体構成を示す斜視図である。
【００２９】
図１（ａ）において、ディスクアレイ装置本体２３は、全体として縦長の直方体形状を呈しており、正面の略全体が開口部になっている。ディスクアレイ装置本体２３内において、上部空間には、多段状に複数のＨＤＤボックス２５が並設されており、略中央部の空間には、複数の論理回路基板２７が並設されている。下部空間は、多段状に複数のＡＣ／ＤＣ電源が並設可能なスペースになっており、下部空間には、複数のＡＣ／ＤＣ電源２９が１段に並設されている。各ＨＤＤボックス２５には、図１（ｂ）に示すように、ＨＤＤ３１が実装されると共に、符号２５ａで示す部位には、２次電池ボックス、及び非絶縁型ＤＣ／ＤＣコンバータが実装されている。また、各論理回路基板２７には、図１（ｃ）に示すように、複数のコネクタ３３と、複数の負荷３５と、複数の高速応答型非絶縁ＤＣ／ＤＣコンバータ３７と、２次電池ボックス３９とが実装されている。
【００３０】
図２は、本発明の第１の実施形態に係るディスクアレイ装置の機能ブロック図である。
【００３１】
図２に示すように、ディスクアレイ装置は、複数のホストＩ／Ｆ（Ｉ／Ｆはインタフェースの略記。以下同じ）４１１〜４１ｎと、複数のキャッシュメモリ４３１〜４３ｎと、複数の記憶装置Ｉ／Ｆ４５１〜４５ｎと、複数の波形整形Ｉ／Ｆ４７１〜４７ｎと、複数のＨＤＤ４９１〜４９ｎと、ＡＣ／ＤＣ電源５１とを備える。ホストＩ／Ｆ４１１〜４１ｎ、キャッシュメモリ４３１〜４３ｎ、記憶装置Ｉ／Ｆ４５１〜４５ｎ、波形整形Ｉ／Ｆ４７１〜４７ｎ、及びＨＤＤ４９１〜４９ｎは、夫々２次電池ボックス５３を有する。
【００３２】
ＡＣ／ＤＣ電源５１は、商用電源から供給される交流電力を所定の直流電力（以下、「ＤＣ電力」と表記する）に変換し、該ＤＣ電力を、電源コモンバス５５を通じてホストＩ／Ｆ４１１〜４１ｎ、キャッシュメモリ４３１〜４３ｎ、記憶装置Ｉ／Ｆ４５１〜４５ｎ、波形整形Ｉ／Ｆ４７１〜４７ｎ、及びＨＤＤ４９１〜４９ｎに夫々供給する。
【００３３】
ホストＩ／Ｆ４１１は、ホストＩ／Ｆケーブルを通じてディスクアレイ装置５９の上位装置であるホストコンピュータ（以下、「ホスト」と表記する）５７に接続されている。ホストＩ／Ｆ４１１は、また、記憶装置Ｉ／Ｆ４５１との間で相互に通信を行うことにより、所定の処理動作を実行する。即ち、ホストＩ／Ｆ４１１は、商用電源の正常時には、電源コモンバス５５を通じてＡＣ／ＤＣ電源５１からのＤＣ電力の供給を受けて駆動し、ホストＩ／Ｆケーブルを通じてホスト５７から伝送されるデータを受信し、ホスト５７からの指令に従って、該データを、キャッシュメモリ４３１の所定位置に書き込む。ホストＩ／Ｆ４１１は、また、ホスト５７からの指令に従って、キャシュメモリ４３１の所定位置に一時的に記憶されているデータをキャッシュメモリ４３１から読み出し、該データを、ホストＩ／Ｆケーブルを通じてホスト５７へ転送する。なお、残りのホストＩ／Ｆ（４１２）〜４１ｎについても、ホストＩ／Ｆ４１１と同様である。
【００３４】
キャッシュメモリ４３１は、商用電源の正常時には、電源コモンバス５５を通じてＡＣ／ＤＣ電源５１からのＤＣ電力の供給を受けて駆動し、ホスト５７からホストＩ／Ｆ４１１を通じてキャッシュメモリ４３１に伝送されるデータを、一時的に記憶する。該データは、記憶装置Ｉ／Ｆ４５１によってキャッシュメモリ４３１から読み出され、ＨＤＤ４９１に転送されて記憶される。キャッシュメモリ４３１は、また、記憶装置Ｉ／Ｆ４５１によってＨＤＤ４９１から読み出されたデータを一時的に記憶する。該データは、ホストＩ／Ｆ４１１によってキャッシュメモリ４３１から読み出され、ホストＩ／Ｆ４１１、及びホストＩ／Ｆケーブルを通じてホスト５７へ転送される。なお、残りのキャッシュメモリ（４３２）〜４３ｎについても、キャッシュメモリ４３１と同様である。
【００３５】
記憶装置Ｉ／Ｆ４５１は、ホストＩ／Ｆ４１１との間で相互に通信を行うことにより、所定の処理動作を実行する。即ち、記憶装置Ｉ／Ｆ４５１は、商用電源の正常時には、電源コモンバス５５を通じてＡＣ／ＤＣ電源５１からのＤＣ電力の供給を受けて駆動し、キャッシュメモリ４３１に書き込まれているデータを読み出して、波形整形Ｉ／Ｆ４７１を通じてＨＤＤ４９１の所定位置に書き込む処理を実行する。記憶装置Ｉ／Ｆ４５１は、また、ＨＤＤ４９１の所定位置に保存されているデータを波形整形Ｉ／Ｆ４７１を通じて読み出して、キャッシュメモリ４３１に書き込む。なお、残りの記憶装置Ｉ／Ｆ（４５２）〜４５ｎについても、記憶装置Ｉ／Ｆ４５１と同様である。
【００３６】
ＨＤＤ４９１は、商用電源の正常時には、電源コモンバス５５を通じてＡＣ／ＤＣ電源５１からのＤＣ電力の供給を受けて駆動し、記憶装置Ｉ／Ｆ４５１によってキャッシュメモリ４３１から読み出され、波形整形Ｉ／Ｆ４７１を通じてＨＤＤ４９１に転送されるデータを記憶する。なお、残りのＨＤＤ（４９２）〜４９ｎについても、ＨＤＤ４９１と同様である。
【００３７】
本実施形態では、商用電源の正常時にＡＣ／ＤＣ電源５１から電源コモンバス５５を通じてホストＩ／Ｆ４１１（〜４１ｎ）、キャッシュメモリ４３１（〜４３ｎ）、記憶装置Ｉ／Ｆ４５１（〜４５ｎ）、波形整形Ｉ／Ｆ４７１（〜４７ｎ）、及びＨＤＤ４９１（〜４９ｎ）の各２次電池ボックス５３に供給され、各２次電池ボックス５３において蓄積された電力が、商用電源の停電時における上記各部に対する駆動電力（即ち、バックアップ電源）となる。換言すれば、商用電源の停電時におけるホストＩ／Ｆ４１１（〜４１ｎ）、キャッシュメモリ４３１（〜４３ｎ）、記憶装置Ｉ／Ｆ４５１（〜４５ｎ）、波形整形Ｉ／Ｆ４７１（〜４７ｎ）、及びＨＤＤ４９１（〜４９ｎ）のバックアップ電源は、上記各部が個別に備える２次電池ボックス５３から夫々各部に対して個別に供給されることになる。
【００３８】
更に、本実施形態では、例えばホストＩ／Ｆ４１１〜４１ｎのうち、ホストＩ／Ｆ４１１のみ駆動していて、残りのホストＩ／Ｆ４１２〜４１ｎが駆動を停止している場合には、商用電源の正常時にホストＩ／Ｆ４１２〜４１ｎの各２次電池ボックス５３に蓄積された電力を、商用電源の停電時に上記各２次電池ボックス５３から電源コモンバス５５に出力させることで、上記蓄積された電力を、電源コモンバス５５を通じてバックアップ電力を必要とする各部（例えばキャッシュメモリ４３１（〜４３ｎ）等）に供給することが可能である。
【００３９】
図２に示した構成によれば、ディスクアレイ装置５９の各部（ホストＩ／Ｆ４１１〜４１ｎ、キャッシュメモリ４３１〜４３ｎ、記憶装置Ｉ／Ｆ４５１〜４５ｎ、波形整形Ｉ／Ｆ４７１〜４７ｎ、及びＨＤＤ４９１〜４９ｎ）毎に実装された各２次電池ボックス５３が、商用電源の正常時に蓄積しておいた電力を、商用電源の停電時に、夫々実装された各部に対してバックアップ電源を供給することができ、それによってディスクアレイ装置５９全体の駆動を継続させることができる。また、上述した各部（ホストＩ／Ｆ４１１〜４１ｎ、キャッシュメモリ４３１〜４３ｎ、記憶装置Ｉ／Ｆ４５１〜４５ｎ、波形整形Ｉ／Ｆ４７１〜４７ｎ、及びＨＤＤ４９１〜４９ｎ）のうち、駆動を停止しても差し支えないものを駆動停止させることで、該駆動停止したデバイスに実装されている２次電池ボックス５３に蓄積されている電力を、電源コモンバス５５を通じてバックアップ電源を必要とする別のデバイスに供給することができる。
【００４０】
更には、バックアップ電源である２次電池５３が、上述した各部毎に分散実装されているにも拘らず、機能的には１個の２次電池ボックス（５３）から全部のデバイスに対してバックアップ電源を供給するようにした構成と同一であるため、バックアップ電源の管理が容易であり、且つ、ディスクアレイ装置全体として必要な２次電池の電力容量を最適値に設定することが可能である。
【００４１】
図３は、図２に記載したディスクアレイ装置において、商用電源が停電した場合に実行される一連の動作の処理流れを示すフローチャートである。
【００４２】
図３に示すフローチャートは、商用電源、及びＡＣ／ＤＣ電源５１等の電源系の動作、ホストＩ／Ｆ（チャネルアダプタ）、記憶装置Ｉ／Ｆ（ディスクアダプタ）、キャッシュメモリ、及び共有メモリ等のディスクアレイ装置全体の駆動を継続することになるデータ処理系の動作、並びにキャッシュメモリ（４３１〜４３ｎ）系の動作を示すフローによって構成される。
【００４３】
図３において、電源系（主としてＡＣ／ＤＣ電源５１）が正常に動作している状態で（ステップＳ７１）、商用電源が停電すると（ステップＳ７２）、ホストＩ／Ｆ４１１（〜４１ｎ）、キャッシュメモリ４３１（〜４３ｎ）、記憶装置Ｉ／Ｆ４５１（〜４５ｎ）、波形整形Ｉ／Ｆ４７１（〜４７ｎ）、及びＨＤＤ４９１（〜４９ｎ）の各々に備えられた２次電池ボックス５３から、夫々対応する上記各部に対し個別にバックアップ電源が供給される（ステップＳ７３）。次に、データ処理系において、現在処理中のデータを、キャッシュメモリ４３１（〜４３ｎ）からＨＤＤ（４９１（〜４９ｎ））へ転送するための退避処理を行うかどうかが判断される（ステップＳ７４）。この判断の結果、退避処理を行うことが確認されれば（ステップＳ７４でYES）、上記処理中のデータを、キャッシュメモリ４３１（〜４３ｎ）からＨＤＤ（４９１（〜４９ｎ））へ転送するための退避処理を実行する（ステップＳ７５）。
【００４４】
そして、この退避処理が終了すると（ステップＳ７６）、キャッシュメモリ系においては、電源コモンバス５５上の電力を使用することによって、換言すれば、駆動を停止している各部（例えばホストＩ／Ｆ４１２〜４１ｎが駆動を停止しているのであれば、ホストＩ／Ｆ４１２〜４１ｎ）の２次電池ボックス５３から電源コモンバス５５を通じて供給される電力を集中的に使用することによって、キャッシュメモリ４３１（〜４３ｎ）上のデータを保持する（ステップＳ７７）。
【００４５】
一方、電源系では、上述したデータの退避処理が完了した各部（例えばホストＩ／Ｆ４１１、記憶装置Ｉ／Ｆ４５１等）の駆動を停止させる処理を実行する。この処理を実行することによって、これら各部の２次電池ボックス５３に蓄積されている電力を、電源コモンバス５５を通じて例えば駆動中のキャッシュメモリ４３１（〜４３ｎ）等に、それらの駆動電力として集中的に供給することが可能になる（ステップＳ７８）。
【００４６】
上述したデータの退避処理が行われないことが確認されれば（ステップＳ７４でNO）、キャッシュメモリ系においては、ステップＳ７７におけると同様に、電源コモンバス５５上の電力を集中的に使用することによって、キャッシュメモリ４３１（〜４３ｎ）上のデータを保持する（ステップＳ７９）。一方、電源系では、例えばキャッシュメモリ４３１（〜４３ｎ）、及びＨＤＤ４９１（〜４９ｎ）を除く上述した各部（ホストＩ／Ｆ４１１（〜４１ｎ）、記憶装置Ｉ／Ｆ４５１（〜４５ｎ）、波形整形Ｉ／Ｆ４７１（〜４７ｎ）、）の各々に備えられた２次電池ボックス５３から、各２次電池ボックス５３に蓄積された電力が電源コモンバス５５へ出力されるよう、上記各部の駆動を停止させる処理を行う（ステップＳ８０）。
【００４７】
図４は、本発明の第１の実施形態に係るディスクアレイ装置の回路構成を示すブロック図である。
【００４８】
上記ディスクアレイ装置は、図４に示すように、ＡＣ／ＤＣ電源８１と、複数のＨＤＤボックス８３１〜８３ｎと、複数の論理回路基板８５１〜８５ｎとを備える。ＨＤＤボックス８３１、及びＨＤＤボックス８３ｎには、夫々２次電池ボックス８７と、非絶縁型ＤＣ／ＤＣコンバータ８９と、ＨＤＤ９１とが実装されている。残りの（図示しない）ＨＤＤボックス８３２〜８３ｎ−１についても同様である。また、論理回路基板８５１、及び論理回路基板８５ｎには、夫々２次電池ボックス８７と、複数（図４では３個）の高速応答型非絶縁ＤＣ／ＤＣコンバータ９３１〜９３３と、複数（図４では３個）の負荷９５１〜９５３とが実装されている。各２次電池ボックス８７は、いずれも充電・放電回路９７と、複数（図４では２個）の２次電池の直列体（以下、「２次電池」と表記する）９９とを備える。
【００４９】
ＨＤＤボックス８３１〜８３ｎ、及び論理回路基板８５１〜８５ｎは、電源コモンバス１０１とグランドライン１０３とを介して、夫々ＡＣ／ＤＣ電源８１に並列接続されている。即ち、図４に示すように、ＨＤＤボックス８３１、及びＨＤＤボックス８３ｎにおいては、ＨＤＤ９１は、非絶縁型ＤＣ／ＤＣコンバータ８９を通じて電源コモンバス１０１に接続されている。また、論理回路基板８５１、及び論理回路基板８５ｎにおいては、複数（図４では３個）の負荷（９５１〜９５３）は、夫々対応する高速応答型非絶縁ＤＣ／ＤＣコンバータ９３１〜９３３を通じて電源コモンバス１０１に並列接続されている。
【００５０】
ＨＤＤボックス８３１、及びＨＤＤボックス８３ｎにおいて、２次電池ボックス８７からの出力電圧は、非絶縁型ＤＣ／ＤＣコンバータ８９を通じてＨＤＤ９１に供給される。また、論理回路基板８５１、及び論理回路基板８５ｎにおいて、２次電池ボックス８７からの出力電圧は、２次電池ボックス８７に並列接続されている複数（図４では３個）の高速応答型非絶縁型ＤＣ／ＤＣコンバータ９３１〜９３３を通じて夫々対応する負荷（９５１〜９５３）に供給される。
【００５１】
なお、残りの（図示しない）ＨＤＤボックス８３２〜８３ｎ−１については、ＨＤＤボックス８３１、８３ｎと構成が同一であり、残りの（図示しない）論理回路基板８５２〜８５ｎについては、論理回路基板８５１、８５ｎと構成が同一であるので、それらの詳細な説明を省略する。
【００５２】
上記構成において、商用電源からの交流電圧（１００Ｖ、又は２００Ｖ）の供給を受けると、ＡＣ／ＤＣ電源８１は、該交流電圧を例えば１２Ｖ程度の低いＤＣ電圧に変換し、該ＤＣ電圧を、電源コモンバス１０１を通じて負荷であるＨＤＤボックス８３２〜８３ｎ−１、及び論理回路基板８５１〜８５ｎに供給する。例えばＨＤＤボックス８３１では、商用電源の正常時には、電源コモンバス１０１を通じてＡＣ／ＤＣ電源８１から出力された１２ＶのＤＣ電圧が、非絶縁型ＤＣ／ＤＣコンバータ８９に出力され、これにより、非絶縁型ＤＣ／ＤＣコンバータ８９からＨＤＤ９１に所定の電圧が出力される。これと共に、ＡＣ／ＤＣ電源８１から電源コモンバス１０１を通じてＨＤＤボックス８３１に流れる電流が、充電・放電回路９７を通じて２次電池９９に充電される。
【００５３】
商用電源が停電すると、２次電池９９に蓄積されている電荷が電流として非絶縁型ＤＣ／ＤＣコンバータ８９に供給されることで、非絶縁型ＤＣ／ＤＣコンバータ８９からＨＤＤ９１にバックアップ電源として所定の電圧が出力される。ここで、ＨＤＤ９１を駆動停止させると、ＨＤＤ９１に供給すべき駆動電力が不要になるので、２次電池９９に蓄積された電力を、電源コモンバス１０１を通じて、例えば論理回路基板８５１側に供給することが可能になる。
【００５４】
上記ＤＣ電圧が略１２Ｖと低いので、ＡＣ／ＤＣ電源８１からの出力電圧を論理回路基板８５１〜８５ｎ上の高速応答型非絶縁ＤＣ／ＤＣコンバータ９３１〜９３３に直接供給することが可能である。そのため、負荷（ＣＰＵ）９５１、負荷（ＬＳＩ）９５２、及び負荷（メモリ）９５３が高速で動作しても、或いは、負荷（ＣＰＵ）９５１、負荷（ＬＳＩ）９５２、及び負荷（メモリ）９５３に急激な（負荷）電流変化が生じても、論理回路基板８５１〜８５ｎ上に高速応答型非絶縁ＤＣ／ＤＣコンバータ９３１〜９３３を配置したので、極めて低いＤＣ電圧（超低電圧）を負荷（９５１〜９５３）に対して安定的に供給することができる。また、高速応答型非絶縁ＤＣ／ＤＣコンバータ（９３１〜９３３）が、４８ＶのＤＣ電圧からではなく、１２ＶのＤＣ電圧から超低電圧を生成するようにしたので、高速応答型非絶縁ＤＣ／ＤＣコンバータ（９３１〜９３３）における入力電圧と出力電圧との差が小さいため、高速応答型非絶縁ＤＣ／ＤＣコンバータ（９３１〜９３３）において、高い電力変換効率を実現することができる。
【００５５】
一方、ＨＤＤボックス８３１〜８３ｎにおいても、ＡＣ／ＤＣ電源８１からの出力電圧（ＤＣ１２Ｖ）を非絶縁型ＤＣ／ＤＣコンバータ８９に直接供給することが可能であり、非絶縁ＤＣ／ＤＣコンバータ８９における入力電圧と出力電圧との差が小さいため、高速応答型非絶縁ＤＣ／ＤＣコンバータ（９３１〜９３３）において、高い電力変換効率を実現することができる。その結果として、ディスクアレイ装置の消費電力を低減することができ、また、２次電池ボックス８７内の２次電池９９の電力容量を必要最小限度に抑制することによって、２次電池ボックス８７を小型化することができる。
【００５６】
また、各ＨＤＤボックス８３１〜８３ｎ、及び各論理回路基板８５１〜８５ｎのうちの駆動を停止しているＨＤＤボックス又は論理回路基板に実装されている２次電池ボックス８７から電源コモンバス１０１を通じて他のＨＤＤボックス又は論理回路基板に駆動電力を供給する場合においても、該２次電池ボックス８７の充電・放電回路９７を介して該２次電池ボックス８７の２次電池９９から電源コモンバス１０１に小さな電流が流れるので、２次電池ボックス８７間で出力電流の平衡を取る必要が無く、ディスクアレイ装置のバックアップシステムを容易に構築することができる。
【００５７】
また、上記構成によれば、各ＨＤＤボックス８３１〜８３ｎ、及び各論理回路基板８５１〜８５ｎ毎に、夫々必要とする電力容量を持つ２次電池９９を実装することとしたので、実装されている個々の２次電池９９の電力容量に無駄が生じることが無い。即ち、２次電池ボックス８７が、各ＨＤＤボックス８３１〜８３ｎ、及び各論理回路基板８５１〜８５ｎ毎に分散実装されているにも拘らず、全部の２次電池９９に蓄積されている電力を電源コモンバス１０１上に集中させることが可能であり、小容量の２次電池ボックス８７にてディスクアレイ装置のバックアップシステムを構成することによって、バックアップ用の２次電池９９の電力容量を、ディスクアレイ装置に見合った最適値に設定することができる。また、ディスクアレイ装置全体としてみた場合においても、無駄が無く、２次電池９９の電力容量を最適値に設定でき、ディスクアレイ装置の省エネルギ化、省スペース化を実現できる。また、各２次電池ボックス８７毎、又は各ＨＤＤボックス８３１〜８３ｎ、及び各論理回路基板８５１〜８５ｎ毎に交換が可能であり、保守性を向上させることができる。
【００５８】
また、２次電池ボックス８７内に収容される２次電池９９の電力容量が小さいため、２次電池ボックス８７の大きさを小さくすることができるので、ディスクアレイ装置内における２次電池ボックス８７の実装領域として、例えば各ＨＤＤボックス８３１〜８３ｎ、及び各論理回路基板８５１〜８５ｎ同士の隙間を利用することが可能であり、ディスクアレイ装置において、特別に２次電池ボックス８７の実装スペースを確保しなくてもよい。
更に、各ＨＤＤボックス８３１〜８３ｎ、及び各論理回路基板８５１〜８５ｎに加えて新たにＨＤＤボックスや、論理回路基板を追加する場合においても、新たなＨＤＤボックス上や、新たな論理回路基板上に、夫々２次電池ボックスが実装済みであるので、上記ＨＤＤボックスや、論理回路基板の追加に応じて、それらのバックアップ電源である２次電池ボックス８７を改めて設置する必要がないので、拡張性に富む。
【００５９】
図５（ａ）は、本発明の第２の実施形態に係るディスクアレイ装置本体の全体構成を示す斜視図、図５（ｂ）は、本発明の第２の実施形態に係る増設２次電池ボックスの全体構成を示す斜視図、図５（ｃ）は、ＨＤＤボックスの全体構成を示す斜視図、図５（ｄ）は、本発明の第２の実施形態に係る増設２次電池ボックスの全体構成を示す斜視図、図５（ｅ）は、本発明の第２の実施形態に係る論理回路基板の全体構成を示す斜視図である。
【００６０】
本実施形態の主な特徴は、図５（ｂ）に示すように、増設２次電池ボックス１１１を図５（ｃ）に示したＨＤＤボックス２５と略同一形状に形成すると共に、図５（ｅ）に示すように、増設２次電池ボックス１１３を図５（ｄ）に示した論理回路基板２７と略同一形状に形成し、増設２次電池ボックス１１１、１１３に夫々複数の２次電池１１５と充電・放電回路１１７とを実装した点にある。増設２次電池ボックス１１１においては、複数の２次電池１１５の実装領域が、ＨＤＤ３１の実装領域としても使用可能であり、また、充電・放電回路１１７の実装領域が、２次電池ボックスと非絶縁型ＤＣ／ＤＣコンバータとの実装領域としても使用可能である。一方、増設２次電池ボックス１１３においては、複数の２次電池１１５の実装領域が、負荷３５と高速応答型非絶縁ＤＣ／ＤＣコンバータ３７との実装領域としても使用可能であり、また、充電・放電回路１１７の実装領域が、２次電池ボックス３９の実装領域としても使用可能である。
【００６１】
本実施形態によれば、増設２次電池ボックス１１１、１１３をディスクアレイ装置に用いることにより、電源コモンバス１０１を通じてバックアップ電源を必要とする各部へ供給されるバックアップ電力を容易に増大させることができる。また、上記増設２次電池ボックス１１１、１１３のディスクアレイ装置内への実装を簡単化することができるので、ディスクアレイ装置の保守、管理における利便性の向上を図ることが可能である。更には、ディスクアレイ装置の性能や機能と、バックアップの性能との整合性をユーザが選択できるので、ユーザにとって使い勝手の良いディスクアレイ装置を提供できる。
【００６２】
図６は、本発明の第２の実施形態に係るディスクアレイ装置の機能ブロック図である。
【００６３】
図６に示す構成は、図５に記載の増設２次電池ボックス１１３が電源コモンバス１０１に接続されており、また、図５に記載の増設２次電池ボックス１１１がＨＤＤボックス４９１〜４９ｎに並設されている点で、図２に記載の構成と相違する。図６に示すその他の構成については、図２に記載の構成と同一であるので、図６において、図２に記載の物と同一物には、同一符号を付してそれらの詳細な説明を省略する。
【００６４】
上記構成において、商用電源の正常時に、ＡＣ／ＤＣ電源５１から電源コモンバス５５を通じて増設２次電池ボックス１１３、１１１、及び他の２次電池ボックス５３に供給される電力が、夫々増設２次電池ボックス１１３、１１１、及び他の２次電池ボックス５３に蓄積される。そして、商用電源の停電時に、増設２次電池ボックス１１３、１１１に蓄積された電力が、他の２次電池ボックス５３に蓄積された電力と共に、増設２次電池ボックス１１３、１１１、及び他の２次電池ボックス５３から電源コモンバス５５に流れ出て、電源コモンバス５５を通じてバックアップ電力を必要とするＨＤＤボックス、或いは論理回路基板に供給される。
【００６５】
図７は、本発明の第２の実施形態に係るディスクアレイ装置の回路構成を示すブロック図である。
【００６６】
図７に示す構成は、ＨＤＤボックス８３１〜８３ｎから２次電池ボックス（８７）を除去する代りに、上述した増設２次電池ボックス（符号１２３で示す）を、ディスクアレイ装置内に２個設けた点で、図４に記載の構成と相違する。図７に示すその他の構成については、図４に記載の構成と同一であるので、図７において、図４に記載の物と同一物には、同一符号を付してそれらの詳細な説明を省略する。
【００６７】
２個の増設２次電池ボックス１２３は、いずれも、電源コモンバス１０１とグランドライン１０３とに接続された充電・放電回路１２７と、充電・放電回路１２７に対して並列接続されている多数の２次電池の直列体１２５１〜１２５ｎとを備える。
【００６８】
上記構成のように、２個の増設２次電池ボックス１２３をディスクアレイ装置内に設けることによって、バックアップ電源を必要とするＨＤＤボックス、或いは論理回路基板に対し、電源コモンバス１０１を通じて大容量の電力を容易に供給することができる。また、上記２個の増設２次電池ボックス（１２３）においては、それらの形状をＨＤＤボックス（８３１〜８３ｎ）の形状、又は論理回路基板（８５１〜８５ｎ）の形状と略同一の形状として、２次電池（１２５１〜１２５ｎ）の実装領域と、ＨＤＤ３１や高速応答型非絶縁ＤＣ／ＤＣコンバータ３７等の実装領域とを共用にすることで、上記２個の増設２次電池ボックス（１２３）のディスクアレイ装置内への実装を簡単化することができるので、ディスクアレイ装置の保守、管理における利便性の向上を図ることが可能である。
【００６９】
図８は、本発明の第２の実施形態の変形例に係るディスクアレイ装置の回路構成を示すブロック図である。
【００７０】
図８に示す構成は、上述した増設２次電池ボックス（符号１２３で示す）を、ディスクアレイ装置内に１個設けた点と、図４に記載の構成と同様に、ＨＤＤボックス８３１〜８３ｎ内に、２次電池ボックス８７を夫々備えている点で、図７に記載の構成と相違する。図８に示すその他の構成については、図７に記載の構成と同一であるので、図８において、図７に記載の物と同一物には、同一符号を付してそれらの詳細な説明を省略する。
【００７１】
図８に示す構成においても、バックアップ電源を必要とするＨＤＤボックス、或いは論理回路基板に対し、電源コモンバス１０１を通じて大容量の電力を容易に供給することができる。
【００７２】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【００７３】
【図１】（ａ）は、本発明の第１の実施形態に係るディスクアレイ装置本体の全体構成を示す斜視図、（ｂ）は、本発明の第１の実施形態に係るＨＤＤボックスの全体構成を示す斜視図、（ｃ）は、本発明の第１の実施形態に係る論理回路基板の全体構成を示す斜視図。
【図２】本発明の第１の実施形態に係るディスクアレイ装置の機能ブロック図。
【図３】図２に記載のディスクアレイ装置において、商用電源が停電した場合に実行される一連の動作の処理流れを示すフローチャート。
【図４】本発明の第１の実施形態に係るディスクアレイ装置の回路構成を示すブロック図。
【図５】（ａ）は、本発明の第２の実施形態に係るディスクアレイ装置本体の全体構成を示す斜視図、（ｂ）は、本発明の第２の実施形態に係る増設２次電池ボックスの全体構成を示す斜視図、（ｃ）は、ＨＤＤボックスの全体構成を示す斜視図、（ｄ）は、本発明の第２の実施形態に係る増設２次電池ボックスの全体構成を示す斜視図、（ｅ）は、本発明の第２の実施形態に係る論理回路基板の全体構成を示す斜視図。
【図６】本発明の第２の実施形態に係るディスクアレイ装置の機能ブロック図。
【図７】本発明の第２の実施形態に係るディスクアレイ装置の回路構成を示すブロック図。
【図８】本発明の第２の実施形態の変形例に係るディスクアレイ装置の回路構成を示すブロック図。
【符号の説明】
【００７４】
８１  ＡＣ／ＤＣ電源
８３１〜８３ｎ  ＨＤＤボックス
８５１〜８５ｎ  論理回路基板
８７  ２次電池ボックス
８９  非絶縁型ＤＣ／ＤＣコンバータ
９１  ＨＤＤ
９３１〜９３３  高速応答型非絶縁ＤＣ／ＤＣコンバータ
９５１〜９５３  負荷
９７  充電・放電回路
９９  ２次電池
１０１  電源コモンバス
１０３  グランドライン
【図１】
2005227988.tif 000003
【図２】
2005227988.tif 000004
【図３】
2005227988.tif 000005
【図４】
2005227988.tif 000006
【図５】
2005227988.tif 000007
【図６】
2005227988.tif 000008
【図７】
2005227988.tif 000009
【図８】
2005227988.tif 000010